(57)【要約】【課題】穂先の感度を低下させることなく、視認性を大幅に向上させた釣竿を提供する。【解決手段】当該釣竿１０は、先端部である穂先部４１及び基端部であるバット部４４を有する釣竿本体４０と、穂先部４１に設けられたマーカー４２とを備える。マーカー４２は、円柱の筒形状である。マーカー４２は、孔４３に穂先部４１が貫通されることによって釣竿本体４０に取り付けられている。マーカー４２は、円柱の底面５０がバット部４４側に向くように穂先部４１に設けられている。マーカー４２は、側面５１から入射した光が集められて底面５０から放射される特徴を有する集光アクリル材からなる。【選択図】図３
2014204690.tif 000002
【特許請求の範囲】
【請求項１】
穂先部及びバット部を有する釣竿本体と、
発光面が上記バット部側に向くように上記穂先部に設けられた集光樹脂からなるマーカーと、を備える釣竿。
【請求項２】
上記マーカーは、筒状であり、
上記穂先部は、上記マーカーに挿入されている請求項１に記載の釣竿。
【請求項３】
上記穂先部は、金属色に塗装されている請求項２に記載の釣竿。
【発明の詳細な説明】
【技術分野】
【０００１】
この発明は、釣竿の構造に関するものである。
【背景技術】
【０００２】
釣竿を使用する釣りのジャンルは様々であるが、たとえば船からのカワハギ釣りや磯での沈め釣り等では、釣人は、いわゆる魚のアタリを穂先の変化で捉えることがある。魚のアタリが穂先で捉えられるためには、穂先の感度が高くなければならない。この場合の「感度」とは、上記アタリによる振動がどれ程ストレートに穂先の変化となって現れるかどうかの度合いのことである。釣竿、特に穂先の構造については、従来から種々の改良が加えられている（たとえば、特許文献１参照）。
【先行技術文献】
【特許文献】
【０００３】
【特許文献１】特開２００５−５２０９３号公報
【発明の概要】
【発明が解決しようとする課題】
【０００４】
ところで、穂先の感度が向上したとしても、穂先の微妙な変化を釣人が確実に視認することができなければ、結局魚のアタリを捉えることはできない。穂先の視認性を向上させるために、穂先が着色されている釣竿も提供されているが、単なる着色は、効果的な対策ではなかった。また、穂先に発光装置を装着する手段も考えられるが、電源等を備えた発光装置の重量は大きく、事実上、これを高感度な穂先に装着することは不可能である。
【０００５】
この発明は、かかる背景のもとになされたものであって、その目的は、穂先の感度を低下させることなく、視認性を大幅に向上させた釣竿を提供することである。
【課題を解決するための手段】
【０００６】
(1) 本発明に係る釣竿は、穂先部及びバット部を有する釣竿本体と、発光面が上記バット部側に向くように上記穂先部に設けられた集光樹脂からなるマーカーと、を備える。
【０００７】
この構成によれば、集光樹脂において集められた光によって釣竿の穂先部に設けられたマーカーの発光面が光る。そのため、釣竿の穂先部の視認性を向上させることができる。また、マーカーは重量の小さい樹脂で構成されているため、釣竿の穂先部の感度を良好に維持することができる。
【０００８】
また、マーカーの発光面がバット部側に向いている。ここで、バット部は、釣竿のユーザによって把持される部分である。よって、マーカーの発光面は、バット部を把持している釣竿のユーザにとって視認し易い。つまり、釣竿の穂先部の視認性を向上させることができる。
【０００９】
(2) 上記マーカーは、筒状である。上記穂先部は、上記マーカーに挿入されている。
【００１０】
この構成によれば、バット部側に向いたマーカーの発光面の中心と、釣竿の軸方向の中心とが一致する。これにより、釣竿の穂先部の変化と、当該変化によるマーカーの発光面の変化とを完全に一致させることができる。その結果、釣竿のユーザは、釣竿の穂先部の微妙な変化を正確に視認することができる。
【００１１】
(3) 上記穂先部は、金属色に塗装されている。
【００１２】
この構成によれば、金属色に塗装された穂先部における光の反射によって、穂先部が挿入されたマーカーの発光面をより光らせることができる。その結果、釣竿の穂先部の視認性を更に向上させることができる。
【発明の効果】
【００１３】
この発明によれば、穂先の感度を低下させることなく、視認性を大幅に向上させた釣竿を提供することができる。
【図面の簡単な説明】
【００１４】
【図１】図１は、釣竿１０の要部の正面図である。
【図２】図２は、マーカー４２の斜視図である。
【図３】図３は、マーカー４２及び穂先部４１の斜視図である。
【図４】図４は、穂先部４１がマーカー４２に挿入されていない状態におけるマーカー４２及び穂先部４１の斜視図である。
【図５】図５は、穂先部４１がマーカー４２に挿入され且つ最先端のガイド部材１５Ａが穂先部４１に取り付けられていない状態におけるマーカー４２及び穂先部４１の斜視図である。
【図６】図６は、変形例２におけるマーカー４２及び穂先部４１の斜視図である。
【図７】図７は、変形例３におけるマーカー４２及び穂先部４１の斜視図である。
【発明を実施するための形態】
【００１５】
以下、本発明の好ましい実施形態が、適宜図面が参照されながら説明される。なお、本実施の形態は、本発明に係る釣竿の一態様にすぎず、本発明の要旨を変更しない範囲で実施態様が変更されてもよいことは言うまでもない。
【００１６】
［釣竿１０の全体構成］
図１は、本発明の一実施形態に係る釣竿１０の要部の正面図である。釣用リール１１が、図１に示される釣竿１０に装着されている。なお、図１に示される釣竿１０は、魚がヒットした状態である。
【００１７】
釣竿１０は、例えば船釣りに使用される振出式のものである。なお、釣竿１０は、船釣り以外に使用されるものであってもよいし、振出式でなく継ぎ式であってもよい。釣竿１０は、釣竿本体４０と、釣竿本体４０に設けられたマーカー４２（図３参照）とを備えている。なお、説明を簡単にするために、図１では釣竿１０の一部の図示が省略されている。また、図１において、マーカー４２の図示は省略されている。
【００１８】
［釣竿本体４０］
図１に示される釣竿１０の釣竿本体４０は、炭素繊維強化プラスチックやガラス繊維強化プラスチックなどで形成されている。釣竿本体４０は、複数の節１２、１３、１４と複数のガイド部材１５とを備えている。
【００１９】
節とは、釣竿本体４０を構成する細長棒状の部材である。節は、釣竿本体４０の先端側から順に第１番節１２、第２番節（図示せず）と呼ばれ、最も後端の節は、特に元節１４と呼ばれる。元節１４に連続する前節は、特に元上節１３と呼ばれる。各節１２〜１４は筒状に形成されている。各節１２〜１４は、公知の方法によって、例えばカーボン繊維を含侵させた樹脂シート（カーボンプリプレグ）を螺旋状に巻回して焼成することによって製造することができる。
【００２０】
ガイド部材１５が、各節１２〜１４に設けられている。各ガイド部材１５は、釣用リール１１から繰り出される釣糸１９が挿通される挿通孔５２（図３〜図５参照）を有する。各ガイド部材１５は、釣糸１９を釣竿本体４０の外周面に沿って長手方向に案内するためのものである。すなわち、図１に示された釣竿１０は、所謂アウターガイドタイプの釣竿である。なお、釣竿１０は、筒状に形成された各節の内部に釣糸１９を通す所謂インナーガイドタイプの釣竿であってもよい。
【００２１】
釣竿本体４０は、穂先部４１及びバット部４４を有している。穂先部４１は、釣竿本体４０の先端部（先端及びその近傍の部分）である。また、穂先部４１は、釣竿１０のユーザが魚のアタリを釣竿本体４０の湾曲の変化で捉える際に、当該ユーザによって視認される部分である。穂先部４１は、第１番節１２の一部である。詳細には、穂先部４１は、第１番節１２のうち、釣竿本体４０の最も先端側に設けられたガイド部材１５Ａと先端側から２番目に設けられたガイド部材１５Ｂとの間の部分である。なお、穂先部４１は、当該部分に限らず、例えば、第１番節１２のうち、ガイド部材１５Ａと先端側から３番目に設けられたガイド部材１５Ｃとの間の部分であってもよいし、第１番節１２から第２番節に亘っていてもよい。
【００２２】
穂先部４１は、金属色で塗装されている。例えば、穂先部４１は、塗装された部材の表面を金属の質感に再現することができる所謂メタリックカラーの塗料で塗装されている。このようなメタリックカラーの塗料は、塗装された部材の表面の輝きを多くするものが好ましい。
【００２３】
バット部４４は、釣竿本体４０の基端部（基端及びその近傍の部分）である。バット部４４は、元節１４の一部である。バット部４４は、元節１４の基端近傍に設けられたリアグリップ４５と、リアグリップ４５よりも先端側に設けられたフロントグリップ４６と、リアグリップ４５及びフロントグリップ４６の間に設けられたリールシート４７とを備えている。
【００２４】
リアグリップ４５及びフロントグリップ４６は、ゴムなどの高摩擦係数の部材で形成されている。釣竿１０が使用される際、リアグリップ４５及びフロントグリップ４６の少なくとも一方が、釣竿１０のユーザによって把持される。
【００２５】
リールシート４７は、釣用リール１１を釣竿本体４０に保持するためのものである。以下に詳述する。リールシート４７は、元節１４を覆っており元節１４の長手方向に沿って摺動可能な可動フード４９と、可動フード４９よりも釣竿本体４０の基端側に設けられた固定フード４８と、可動フード４９の摺動をロックするロック部（不図示）とを備えている。可動フード４９は、釣用リール１１に設けられた脚の一方側を保持する。固定フード４８は、釣用リール１１に設けられた脚の他方側を保持する。可動フード４９及び固定フード４８の双方が釣用リール１１の脚を保持した状態において、可動フード４９は、ロック部によって摺動不可能な状態とされることにより、固定フード４８と協働して釣用リール１１をリールシート４７に位置決め固定する。
【００２６】
［マーカー４２］
図３に示されるように、釣竿１０の穂先部４１にマーカー４２が設けられている。図２に示されるように、マーカー４２は、円柱形状であり且つ円形の孔４３が形成された筒形状の部材である。マーカー４２の底面５０の直径ｒ１は、釣竿本体４０の穂先部４１の直径よりも大きい。また、マーカー４２に形成された孔４３の直径ｒ２は、釣竿本体４０の穂先部４１の直径と略同一である。
【００２７】
マーカー４２は、以下のようにして釣竿１０の穂先部４１に取り付けられている。最初に、図４に示されるように、最も先端側のガイド部材１５Ａが未だ取り付けられていない釣竿本体４０が用意される。次に、当該釣竿本体４０が、その先端５３からマーカー４２の孔４３に挿入される。釣竿本体４０が孔４３に挿入された後の状態が、図５に示されている。図５では、釣竿本体４０における先端側から２番目のガイド部材１５Ｂよりも先端側、つまり穂先部４１が、マーカー４２に挿入されている。また、図５では、釣竿本体４０の先端５３が、マーカー４２の孔４３を貫通して、マーカー４２から突出している。なお、マーカー４２は、孔４３の内面との間の摩擦力によって釣竿本体４０に固定されてもよいし、接着剤などによって釣竿本体４０に固定されてもよい。
【００２８】
次に、図５に示されるように、ガイド部材１５Ａが、釣竿本体４０の先端５３に取り付けられる。詳細には、ガイド部材１５Ａに形成された孔５４に、釣竿本体４０の先端５３が挿入される。なお、当該挿入の際、孔５４の内面または釣竿本体４０の先端５３近傍の少なくとも一方に、接着剤が付けられる。これにより、ガイド部材１５Ａが釣竿本体４０に固定された状態で取り付けられる。ガイド部材１５が釣竿本体４０に取り付けられた状態が、図３に示されている。
【００２９】
マーカー４２が穂先部４１に取り付けられた状態、つまり図３に示された状態において、マーカー４２の底面５０は、釣竿本体４０の基端側、つまりバット部４４側に向いている。
【００３０】
マーカー４２は、以下に詳述するような集光アクリル材（請求項に記載された「集光樹脂」に相当）によって形成されている。集光アクリル材は、以下のような特徴を有するアクリル樹脂である。つまり、集光アクリル材よりなる部材（マーカー４２）の所定面（側面５１）から入射した光は、当該部材の内部で集められて当該所定面とは異なる他の面（底面５０）から放射される。
【００３１】
集光アクリル材によって形成されたマーカー４２は、軸方向の長さｒ３が底面５０の直径ｒ１よりも大きい円柱形状である。軸方向の長さｒ３の底面５０の直径ｒ１に対する割合を適切に設定することによって、マーカー４２は、上述した特徴を有するようになる。上記割合は、例えば、アクリル樹脂の屈折率や、マーカー４２の周囲に存在する物質である空気の屈折率などに基づいて設定される。
【００３２】
上記割合が適切に設定されたマーカー４２の側面５１から入射した光の多くは、当該側面５１における入射位置と異なる位置で全反射する。全反射した光は、マーカー４２の側面５１を通過してマーカー４２の外側に放射されることはない。そして、上記全反射は、マーカー４２の側面５１から入射した光がマーカー４２の底面５０に到達するまで繰り返される。つまり、マーカー４２の側面５１から入射した光の多くは、集光されてマーカー４２の底面５０から放射される。これにより、マーカー４２の底面５０（請求項に記載された「発光面」に相当）は、マーカー４２の側面５１よりも明るく光って見える。
【００３３】
なお、マーカー４２は、集光アクリル材に限らず、例えば、集光材が含まれたポリカーボネート（請求項に記載された「集光樹脂」に相当）によって形成されていてもよい。
【００３４】
［実施形態の効果］
この実施形態によれば、集光アクリル材において集められた光によって釣竿１０の穂先部４１に設けられたマーカー４２の底面５０が光るため、釣竿１０の穂先部４１の視認性を向上させることができる。また、マーカー４２は重量の小さいアクリル材で構成されているため、釣竿１０の穂先部４１の感度を良好に維持することができる。
【００３５】
また、マーカー４２の底面５０がバット部４４側に向いている。ここで、バット部４４は、釣竿１０のユーザによって把持される部分である。よって、マーカー４２の底面５０は、バット部４４を把持している釣竿１０のユーザにとって視認し易い。つまり、釣竿１０の穂先部４１の視認性を向上させることができる。
【００３６】
また、バット部４４側に向いたマーカー４２の底面５０の中心と、釣竿１０の軸方向の中心とが一致する。これにより、釣竿１０の穂先部４１の変化と、当該変化によるマーカー４２の底面５０の変化とを完全に一致させることができる。その結果、釣竿１０のユーザは、釣竿１０の穂先部４１の微妙な変化を正確に視認することができる。
【００３７】
また、金属色に塗装された穂先部４１における光の反射によって、穂先部４１が挿入されたマーカーの底面５０をより光らせることができる。その結果、釣竿１０の穂先部４１の視認性を更に向上させることができる。
【００３８】
［変形例１］
上述の実施形態において、マーカー４２は、円柱形状であったが、円柱形状に限らず、例えば四角柱形状であってもよい。
【００３９】
［変形例２］
上述の実施形態において、マーカー４２は、筒形状であったが、筒形状に限らず、例えば図６に示されるような薄板形状であってもよい。図６において、マーカー４２は、薄板状であって、接着剤などで穂先部４１に取り付けられている。なお、図６の場合、板形状のマーカー４２の厚み方向と直交する面５６から入射した光が、マーカー４２の内部で集光されて、側面５５（請求項に記載された「発光面」に相当）から放射される。
【００４０】
［変形例３］
上述の実施形態において、マーカー４２は、筒形状であったが、筒形状に限らず、例えば図７に示されるような側面５１に一方の底面５０から他方の底面５０へ連通する溝部５７が形成されているものであってもよい。この場合、溝部５７の一部に、他の部分よりも幅が狭くなっている幅狭部５８が形成されている。変形例３では溝部５７の開口側がジグザグ状に形成されることによって幅狭部５８が形成されている。そして、マーカー４２は、幅狭部５８に圧入されることによって、溝部５７へ挿入される。
【００４１】
［変形例４］
マーカー４２のバット部４４側に向いていない側の底面５０（図３参照）や側面５５（図５参照）が、金属色で塗装されていたりアルミ箔などが貼付されていたりしてもよい。また、上述の実施形態や変形例１、２において、マーカー４２の少なくとも一部の面に蛍光塗料が塗られていてもよい。これらにより、マーカー４２における集光率を高くすることができる。
【符号の説明】
【００４２】
１０・・・釣竿
１１・・・釣用リール
１２・・・節（第１番節）
１３・・・節（元上節）
１４・・・節（元節）
１５・・・ガイド部材
１９・・・釣糸
４０・・・釣竿本体
４１・・・穂先部
４２・・・マーカー
４３・・・孔
４４・・・バット部
４５・・・リアグリップ
４６・・・フロントグリップ
４７・・・リールシート
４８・・・固定フード
４９・・・可動フード
５０・・・底面
５１・・・側面
５２・・・挿通孔
【図１】
2014204690.tif 000003
【図２】
2014204690.tif 000004
【図３】
2014204690.tif 000005
【図４】
2014204690.tif 000006
【図５】
2014204690.tif 000007
【図６】
2014204690.tif 000008
【図７】
2014204690.tif 000009